(57)【要約】【課題】  ホトマスクを生産せず試作を作成することができるといったホトマスクレス試作方式の長所と量産時に試作時のパターン情報をそのまま使用することができるといったホトマスク試作方式の長所を併せ持つホトマスクレス試作方式とホトマスク試作方式を融合したホトマスクレス・ホトマスク融合方式を実現した集積回路の設計方法、集積回路の設計方法に用いる設計支援プログラム及び集積回路設計システムを提供する。【解決手段】  パターン情報に基づいてホトマスクを用いることなく集積回路を作成するホトマスクレス工程及びパターン情報に基づいてホトマスクを用いて集積回路を作成するホトマスク工程に用いることができる共用設計環境下でホトマスクレス工程及びホトマスク工程に対応した試作用のパターン情報に基づき集積回路の試作をホトマスクを用いず作成し評価を経て必要に応じて改良を加え共通パターン情報を作成し、当該共通パターン情報に改良を加えることなく必要に応じて形式的変換を行って量産用のホトマスクを生成して使用する。【選択図】  図２【特許請求の範囲】
【請求項１】
パターン情報に基づいてホトマスクを用いることなく集積回路を作成するホトマスクレス工程及びパターン情報に基づいてホトマスクを用いて集積回路を作成するホトマスク工程に用いることができる共用設計環境下でホトマスクレス工程及びホトマスク工程に対応した試作用のパターン情報に基づき集積回路の試作をホトマスクを用いず作成する工程と、評価を経て必要に応じて改良を加え共通パターン情報を作成する工程と、当該共通パターン情報に改良を加えることなく必要に応じて形式的変換を行って量産用のホトマスクを生成する工程とからなることを
特徴とする集積回路の製造方法。
【請求項２】
前記請求項１に記載の集積回路の製造方法において、
前記共用設計環境は、集積回路の製造に必要なＥＤＡ(Electronic Design Automation)ソフト、検証ソフト、セルライブラリー、ＩＰ(Intellectual Property)、ＯＰＣ(Optical and Process Correction)処理ソフト等の設計Ｔｏｏｌからなる設計環境を、前記ホトマスクレス工程及びホトマスク工程で共用可能な形式で構築してなることを
特徴とする集積回路の製造方法。
【請求項３】
前記請求項１に記載の集積回路の製造方法において、
複数の異なる集積回路、同一機能の集積回路であって複数のパラメータを条件に持った複数の集積回路又はこれらの集積回路の組み合わせのパターン情報に基づき試作をホトマスクを用いず同一のウエーハ上に焼き付けて作成することを
特徴とする集積回路の製造方法。
【請求項４】
前記請求項３の集積回路の製造方法において、
外部要求に応じて作成したウエーハ上の複数のチップのうち指定されたチップに係る共通パターン情報に基づきホトマスクを作成し、当該ホトマスクを用いてチップを大量生産することを
特徴とする集積回路の製造方法。
【請求項５】
コンピュータを、集積回路の機能設計及び／又は論理設計を経て作成される設計情報を、パターン情報に基づいてホトマスクを用いることなく集積回路を作成するホトマスクレス装置のパターン特性及びパターン情報に基づいたホトマスクを用いて集積回路を作成するホトマスク装置のパターン特性を満たしたパターン情報に変換する変換手段として機能させることを
特徴とする集積回路設計支援プログラム。
【請求項６】
前記請求項５に記載の集積回路設計支援プログラムにおいて、
前記変換手段がホトマスクレス装置のパターン特性及びホトマスク装置のパターン特性を満たしたパターン構成図の集合である共用セルライブラリーを用いてパターン情報に変換することを
特徴とする集積回路設計支援プログラム。
【請求項７】
集積回路の機能設計及び／又は論理設計を経て作成される設計情報を、パターン情報に基づいてホトマスクを用いることなく集積回路を作成するホトマスクレス装置のパターン特性及びパターン情報に基づいたホトマスクを用いて集積回路を作成するホトマスク装置のパターン特性を満たしたパターン情報に変換する変換手段とを備えることを
特徴とする集積回路設計支援装置。
【請求項８】
前記請求項５に記載の集積回路設計支援装置において、
前記変換手段がホトマスクレス装置のパターン特性及びホトマスク装置のパターン特性を満たしたパターン構成図の集合である共用セルライブラリーを用いてパターン情報に変換することを
特徴とする集積回路設計支援装置。
【請求項９】
前記請求項５または６に記載の集積回路設計支援プログラムがコンピュータに読込まれることによる集積回路設計支援装置または前記請求項７または８に記載の集積回路設計支援装置と、前記ホトマスクレス装置及びホトマスク装置とを備え、
当該集積回路設計支援装置がパターン情報又はホトマスクレス装置に入力可能な形式のパターン情報に準じる準パターン情報をホトマスクレス装置に出力し、ホトマスクレス装置が当該パターン情報又は準パターン情報に基づき集積回路の試作を作成し、当該試作に対して評価を行い必要に応じて改良を加えられた共通パターン情報に基づいたホトマスクでホトマスク装置を用いてチップを量産することを
特徴とする集積回路設計システム。
【請求項１０】
前記請求項９に記載の集積回路設計システムにおいて、
前記変換手段が電子ビーム直接描画装置の電子ビーム幅により形成される繋ぎ目をアクティブ領域を避けたパターン情報に変換することを
特徴とする集積回路設計システム。
【請求項１１】
前記請求項９に記載の集積回路設計システムにおいて、
前記変換手段が変換したパターン情報をさらにホトマスク装置用にOPC処理を施したパターン情報に変換することを
特徴とする集積回路設計システム。
【請求項１２】
前記請求項９に記載の集積回路設計システムにおいて、
前記ホトマスクレス装置が複数の前記パターン情報又はホトマスク装置に入力可能な形式のパターン情報に準じる準パターン情報に基づき試作をホトマスクを用いず同一のウエーハ上に焼き付けて作成することを
特徴とする集積回路設計システム。
【請求項１３】
前記請求項１２に記載の集積回路設計システムにおいて、
外部要求に応じて前記同一ウエーハ上の指定されたそれぞれのチップに係る共通パターン情報に基づいたホトマスクをホトマスク装置で用いてチップを量産することを
特徴とする集積回路設計システム。
【請求項１４】
ホトマスクを用いることなく集積回路を作成するホトマスクレス装置でブロック露光に使用されるブロックマスクにおいて、
ブロックを構成する辺の長さが異なるブロックが複数形成されたことを
特徴とするブロックマスク。
【請求項１５】
ホトマスクを用いることなく集積回路を作成するホトマスクレス装置でブロック露光に使用されるブロックマスクにおいて、
形成される複数ブロックが長方形のブロックであって、当該長方形のブロックの大きさが異なることを
特徴とするブロックマスク。
【請求項１６】
前記請求項１４または１５に記載のブロックマスクにおいて、
ブロックが長方形に形成されている場合に、ブロックの長辺及び／又は短辺が配線最小ピッチ単位の整数倍の長さを有することを
特徴とするブロックマスク。
【請求項１７】
前記請求項１４または１５に記載のブロックマスクにおいて、
形成されている複数のブロックの短辺の長さが同じで、長辺の長さが異なることを
特徴とするブロックマスク。
【請求項１８】
前記請求項１４または１５に記載のブロックマスクにおいて、
ブロックマスクの縦方向に沿って長辺が形成されているブロックを配置した縦長ブロック領域と、ブロックマスクの横方向に沿って長辺が形成されているブロックを配置した横長ブロック領域とを備えることを
特徴とするブロックマスク。
【請求項１９】
前記請求項１４または１５に記載のブロックマスクを使用するホトマスクレス装置において、
ブロック露光時に照射されるビーム形状を任意の長方形又は楕円形に変形する手段を備えることを
特徴とするホトマスクレス装置。
【請求項２０】
前記請求項１４または１５に記載のブロックマスクを使用するホトマスクレス装置において、
ブロック露光時に照射されるビーム形状を保ったまま、形成されたブロックの長辺方向に走査することを
特徴とするホトマスクレス装置。
【請求項２１】
前記請求項１４または１５に記載のブロックマスクを使用するホトマスクレス装置において、
ブロック露光時に複数のビームを一のブロックに対して長手方向に並列させて照射することを
特徴とするホトマスクレス装置。
【請求項２２】
前記請求項２１に記載のブロックマスクを使用するホトマスクレス装置において、
一のブロックを長手方向に照射するビーム数分に等間隔に分割し、分割した部分にそれぞれのビームを照射して走査させることを
特徴とするホトマスクレス装置。
【請求項２３】
セルライブラリ中の機能もしくは性能が異なる複数のセル間で、同じ露光工程に該当する構成パターンを動作に影響させることなく同一化したセルを作成し、当該作成したセルをセルライブラリに登録し、当該セルライブラリに基づきパターンを形成したブロックマスクを用いてブロック露光を行うことを
特徴とする集積回路の製造方法。
【請求項２４】
CMOS半導体用のセルライブラリにおいて、1個のN型Tr.と1個のP型Tr.から構成される1入力Gateのセルをセルの基本単位とし、当該前記1入力Gateの基本セルの構成パターンからなるN入力Gateのセルを登録したセルライブラリに基づきパターンを形成したブロックマスクを用いてブロック露光を行うことを
特徴とする集積回路の製造方法。
【請求項２５】
セルライブラリ中の機能もしくは性能が異なる複数のセル間で、同じ露光工程に該当する構成パターンを動作に影響させることなく同一化したセルを作成し、当該作成したセルをセルライブラリに登録し、当該セルライブラリに基づきパターンを形成したブロックマスクを用いてブロック露光を行うことを
特徴とする前記請求項１に記載の集積回路の製造方法。
【請求項２６】
前記請求項１４または１５に記載のブロックマスクを用いてブロック露光を行うことを
特徴とする請求項２３ないし２５のいずれかに記載の集積回路の製造方法。
【発明の詳細な説明】
【技術分野】
【０００１】
本発明は、集積回路の設計方法に関し、特に、レイアウト／パターン設計での集積回路の設計方法、並びに、この製造方法に関する設計支援プログラム及び集積回路設計システムに関する。
【背景技術】
【０００２】
集積回路の設計は、機能設計、論理設計、レイアウト／パターン設計からなる。機能設計で集積回路に搭載する機能を決定し所定の記述方法（機能図、ハードウェア記述言語（HDL）、論理式、真理値表、C言語等を用いたプログラムリスト）で機能仕様書等の機能設計情報を作成し、この作成した機能仕様情報に基づき論理設計で半導体技術を考慮してトランジスタやブロックなどの接続関係を示すネットリスト等の論理設計情報を作成し、レイアウト／パターン設計で論理設計情報に基づき量産用のパターン情報を作成する。レイアウト／パターン設計では、量産用のホトマスクパターンを作成するために、試作のチップを作成して評価解析するのであるが、試作作成にホトマスクを用いるか否かの違いで、２つの設計方式があり、ホトマスクを用いる方がホトマスク試作方式であり、ホトマスクを用いない方がホトマスクレス試作方式である。【０００３】
前者のホトマスク試作方式は、論理設計情報に基づき試作用のパターン情報を作成し、このパターン情報に基づきホトマスクを作成しチップを完成させ、このチップに対して評価し、評価の結果所望の特性・歩留まりが得られない場合には設計をやり直しパターン情報を作成し直し、評価の結果が所望の特性・歩留まりが得られるまで繰り返し行われる方法である。【０００４】
後者のホトマスクレス試作方式は、論理設計情報に基づき試作用のパターン情報を作成し、このパターン情報に基づきホトマスクを作成することなくチップを完成させ、このチップに対して評価し、評価の結果所望の特性・歩留まりが得られない場合には設計をやり直しパターン情報を作成し直し、評価の結果が所望の特性・歩留まりが得られるまで繰り返し行われる方法である。ホトマスクを作成することなくパターン情報に基づいてチップを完成させる方法は、多種の方法が提案されているが、例えば、電子ビーム直接描画方式を実装した電子ビーム直接描画装置を用いて行われる。このホトマスクレス試作方式のメリットは、試作時にホトマスクが不要であって修正を何度しても、高額なホトマスク費用が掛からないという点であり、微細化傾向の続くホトマスクの高騰に対する解決策として期待されている。【０００５】
なお、ホトマスク試作方式及びホトマスクレス試作方式を適用した開発の流れそれぞれ図１１または図１２に示す。ホトマスク試作方式を適用した開発の流れは、顧客（Setメーカー）でシステム設計（ステップ１０１）をし半導体メーカーに対して試作発注を設計書を伴って行う（ステップ１０２）。顧客又は顧客の製品によってシステム設計がどの段階まで終了しているかは様々であり、前記論理設計も終わっている場合もあれば、機能設計のみ終わっている場合、要求仕様だけ決まっている場合もあり、それにより半導体メーカーに渡す設計書も異なる。設計書を受け取った半導体メーカーは、ホトマスク試作方式の設計環境となるEDAソフト、セルライブラリ、レイアウトルール、IP等の設計Toolを使用してLSI設計を設計書に基づき行ってパターン情報を作成する（ステップ１０３）。このパターン情報を用いてホトマスク作成装置を用いて試作用ホトマスクを作成する（ステップ１０４）。このホトマスクを光露光装置にセットしてウエーハ上にチップを作成し（ステップ１０５）、チップに対して各種評価を実施する（ステップ１０６）。評価の結果特性、歩留まり等の仕様要求を満たさない場合には、原因となった工程に戻る。評価の結果仕様要求を満たした場合には、半導体メーカーが顧客（Setメーカー）に対してWS（Working Sample）を納入し（ステップ１０７）、顧客（Setメーカー）はかかるWSを評価する（ステップ１０８）。評価の結果顧客（Setメーカー）が変更を要すると判断した場合には顧客システム設計に移行して再び試作・発注を行う。評価の結果顧客（Setメーカー）が変更を要しないと判断した場合には半導体メーカーに対して量産発注を行い（ステップ１０９）、半導体メーカーは量産発注を受けた時の試作用ホトマスクと同一の量産用ホトマスクを用いて量産を行う（ステップ１１０）。製品を製造した後顧客（Setメーカー）にかかる製品を納品する（ステップ１１１）。【０００６】
次に、ホトマスクレス試作方式を適用した開発の流れは、顧客（Setメーカー）でシステム設計をし（ステップ２０１）半導体メーカーに対して試作発注を設計書を伴って行う（ステップ２０２）。設計書を受け取った半導体メーカーは、ホトマスクレス試作方式の設計環境（電子ビーム直接描画装置を試作用のチップ作成に用いた場合には、図１２に示すように直接描画用の設計環境となる。以下、ホトマスクレス試作方式の一例である電子ビーム直接描画装置を用いた場合について説明することとする。）となるEDAソフト、セルライブラリ、レイアウトルール、IP等を使用してLSI設計を設計書に基づき行ってパターン情報を作成し（ステップ２０３）電子ビーム直接描画装置を用いてこのパターン情報に基づき直接描画してウエーハ上にチップを作成し（ステップ２０４）、チップに対して各種評価を実施する（ステップ２０５）。評価の結果特性、歩留まり等の仕様要求を満たさない場合には、原因となった工程に戻る。評価の結果仕様要求を満たした場合には、半導体メーカーが顧客（Setメーカー）に対してWS（Working Sample）を納入し（ステップ２０６）、顧客（Setメーカー）はかかるWSを評価する（ステップ２０７）。評価の結果顧客（Setメーカー）が変更を要すると判断した場合には顧客システム設計に移行して再び試作・発注を行う。評価の結果顧客（Setメーカー）が変更を要しないと判断した場合には半導体メーカーに対して量産発注を行う（ステップ２０８）。半導体メーカーはホトマスク試作方式の設計環境となるEDA Tools、Cell Library、レイアウトルール、IP等を使用して量産発注を受けた時のパターン情報に基づき量産のための試作用ホトマスクを作成する（ステップ２０９）。このホトマスクを光露光装置にセットしてウエーハ上にチップを作成し、チップに対して各種評価を実施する（ステップ２１０）。評価の結果前記電子ビーム直接描画装置により作成されたチップと同一のものができない場合には、パターン情報又は試作用ホトマスクに対して修正を行う。評価の結果評価の前記電子ビーム直接描画装置により作成されたチップと同一のものができた場合には、半導体メーカーは試作用ホトマスクと同一の量産用ホトマスクを用いて量産を行う（ステップ２１１）。製品を製造した後顧客（Setメーカー）にかかる製品を納品する（ステップ２１２）。
【発明の開示】
【発明が解決しようとする課題】
【０００７】
背景技術のホトマスクレス試作方式は上記に記載した通りで、確かに、試作時にはホトマスク費用が掛らずホトマスク試作方式と比べ全体として設計費用を低減させることはできるものの、試作時に直接ホトマスクを用いてチップを作成して評価をしておらず、すなわち、試作時に作成されたチップと量産時に作成されたチップとが一致せず、試作時に完成したパターン情報を量産用のパターン情報とするために、再び実際のパターン情報に基づいてチップを試作し評価する工程を所望の特性・歩留まりが得られるまで行う必要があり、費用、開発期間の面で必ずしも期待した程の効果が得られないという課題を有する。例えば、試作時に電子ビーム直接描画装置を用いてホトマスクを作成することなくパターン情報に基づいてチップを作成し評価を行ってパターン情報を完成させ、次に、この完成させたパターン情報に基づき実際にホトマスクを作成して光露光装置を用いてチップを作成し評価を行って量産用のパターン情報を作成しており、電子ビーム直接描画装置の特性と光露光装置の特性の相違から試作用のパターン情報とは別途量産用のパターン情報を試作用のパターン情報を改良して作成しなければならないという手間が生じる。ここで、試作用のパターン情報と量産用のパターン情報が形式的な変換であれば設計者が介することなく行われるので問題がないが、試作のチップを作成する装置の特性と量産のチップを作成する装置の特性とが異なり、試作のチップを作成する装置の特性のみを考慮して作成されたパターン情報を、量産のチップを作成する装置の特性を考慮したパターン情報に変換することは機械的に変換することが困難である。なお、ホトマスク試作方式の場合には、試作時からホトマスクを作成しており、ホトマスクを作成するためのホトマスクパターンとなっており、試作時のホトマスクパターンをそのまま量産用のホトマスクパターンとして用いることができる。【０００８】
本発明は前記課題を解決するためになされたものであり、ホトマスクを生産せず試作を作成することができるといったホトマスクレス試作方式の長所と量産時に試作時のパターン情報をそのまま使用することができるといったホトマスク試作方式の長所を併せ持つホトマスクレス試作方式とホトマスク試作方式を融合したホトマスクレス・ホトマスク融合方式を実現した集積回路の設計方法、集積回路の設計方法に用いる設計支援プログラム及び集積回路設計システムを提供することを目的とする。【０００９】
また、本発明に関し、ホトマスクレス装置である直接描画装置の直接露光は、小さな電子ビーム（０．０１〜０．１[μｍ]）でパターンを一筆書きのように走査しているため、自由なパターンが可能となっている反面、描画に時間がかかる問題を従来から有していた。具体的には、１ウエハー１０[時間]以上、光露光マスク方式の１０〜１００倍の時間を必要とする。この対策として、直接描画装置にブロックマスクを挿入して繰り返し使用頻度の高いパターン（セル等）をブロックとしてブロックマスクに形成する方法が採られている。図１３にかかるブロックマスクを使用した直接描画装置の駆動説明図及びブロックマスクの正面図を示した。【００１０】
図１３に基づくと、照射された電子ビームはスリット１０２を通してブロック寸法（この図では５[μｍ]×５[μｍ]）の大きさのビーム形状に成形されて、ブロックマスクの指定のブロックＰｉｊを通して、指定のパターンとなってＰｉｊに描かれたパターンをウエハー上に露光する。【００１１】
ブロックマスクには約２０ないし１０００種のブロックパターン１０６（セル）が同じ寸法で並べられている。セルとして定義されるランダムパターン１０６は、このように同じ寸法でも良いが、配線パターンのようにラウター（配線ソフトウェア）で定義されるような、長方形のランダムパターンをブロック化するのは、このような同じ寸法の方式では何度もブロック露光で繰り返し同じ配線バターンを描画する必要があり、大変非効率となる。図１４に一般的なＬＳＩの配線パターンの部分正面図を示す。【００１２】
したがって、集積回路の設計方法、集積回路の設計方法に用いる設計支援プログラム及び集積回路設計システムで使用するマスクレス装置で使用する有用なブロックマスク及びマスクレス装置自体を提供することも本発明の目的となる。
【課題を解決するための手段】
【００１３】
本発明に係る集積回路の製造方法は、パターン情報に基づいてホトマスクを用いることなく集積回路を作成するホトマスクレス工程及びパターン情報に基づいてホトマスクを用いて集積回路を作成するホトマスク工程に用いることができる共用設計環境下でホトマスクレス工程及びホトマスク工程に対応した試作用のパターン情報に基づき集積回路の試作をホトマスクを用いず作成し評価を経て必要に応じて改良を加え共通パターン情報を作成し、当該共通パターン情報に改良を加えることなく必要に応じて形式的変換を行って量産用のホトマスクを生成して使用するものである。ここで、形式的変換とは、最終的に形成されるチップに対して同一性を保ちながら変換することをいい、最終的な形成されるチップの同一性が保たれない実質的変換とはことなる。具体的には、ファイル形式を変換するものであったり、後記するＯＰＣ処理も形式的変換に該当する。また、試作を作成した後に、顧客の要請があれば、かかる要請に応じて共通パターン情報を修正し、修正したパターン情報を共通パターンとして保持し、試作を再び顧客に納める。ホトマスクレス工程及びホトマスク工程における描画には数十工程あり、ホトマスクレス工程であっても半導体素子のある複雑な階層部分に対する工程で電子ビーム直接描画装置が用いられて描画され、他の工程では光露光装置が用いられて描画されている。ここで集積回路の設計方法としているが、設計方法と製造方法とを画一的に区分けできない部分もあるので、設計方法に製造方法を含む意味で使用する場合がある。ここで、集積回路の製造方法としたが、より詳細には、製造工程中の設計方法であるということができる。【００１４】
また、本発明に係る集積回路の製造方法は必要に応じて、前記共用設計環境は、集積回路の製造に必要なＥＤＡ(Electronic Design Automation)ソフト、検証ソフト、セルライブラリー、ＩＰ(Intellectual Property)、ＯＰＣ(Optical and Process Correction)処理ソフト等の設計Ｔｏｏｌからなる設計環境を、前記ホトマスクレス工程及びホトマスク工程で共用可能な形式で構築してなるものである。ここで、集積回路の製造方法としたが、より詳細には、製造工程中の設計方法であるということができる。【００１５】
また、本発明に係る集積回路の製造方法は必要に応じて、複数の異なる集積回路、同一機能の集積回路ながら複数のパラメータを条件に持った複数の集積回路又はこれらの集積回路の組み合わせのパターン情報に基づき試作をホトマスクを用いず同一のウエーハ上に焼き付けて作成するものである。ここで、集積回路の製造方法としたが、より詳細には、製造工程中の設計方法であるということができる。【００１６】
また、本発明に係る集積回路の製造方法は、外部要求に応じて前記作成したウエーハ上の複数のチップのうち指定されたチップに係る共通パターン情報に基づきホトマスクを作成し、当該ホトマスクを用いてチップを大量生産するものである。ここで、外部要求とは、主にSetメーカーの量産発注であり、電気通信回線を用いて行われる場合等が該当するが、望ましくは、量産発注を受けて自動的に大量生産に移行するシステムを構築する方がよい。【００１７】
また、本発明に係る集積回路設計支援プログラムは、コンピュータを、集積回路の機能設計及び／又は論理設計を経て作成される設計情報を、パターン情報に基づいてホトマスクを用いることなく集積回路を作成するホトマスクレス装置のパターン特性及びパターン情報に基づいたホトマスクを用いて集積回路を作成するホトマスク装置のパターン特性を満たしたパターン情報に変換する変換手段として機能させるものである。このように本発明においては、作成される設計情報を、ホトマスクレス装置のパターン特性及びホトマスク装置のパターン特性を満たしたパターン情報に変換する変換手段として機能させるので、ホトマスクレス装置及びホトマスク装置のどちらにも同一のパターン情報で用いることができ、また、形式的にパターン情報が異なっている場合にも、少なくとも最終的なウエーハ上に形成されるチップが同一となり、ホトマスクレス装置のみを使用する集積回路開発、ホトマスク装置のみを使用する集積回路開発、並びに、ホトマスクレス装置及びホトマスク装置を使用する集積回路開発にそのままパターン情報を用いることができ、様々な開発方法を用いることができる。ここで、ホトマスクレス装置は具体的には電子ビーム直接描画装置であり、ホトマスク装置は具体的には光露光装置である。【００１８】
また、本発明に係る集積回路設計支援プログラムは、前記変換手段がホトマスクレス装置のパターン特性及びホトマスク装置のパターン特性を満たしたパターン構成図の集合である共用セルライブラリーを用いてパターン情報に変換するものである。このように本発明においては、前記変換手段がホトマスクレス装置のパターン特性及びホトマスク装置のパターン特性を満たしたパターン構成図の集合である共用セルライブラリを用いてパターン情報に変換するので、ホトマスクレス装置のパターン情報とホトマスク装置のパターン形状が略同一となってどちらの装置を用いても同じチップを作成することができ、特に、ホトマスクレス装置が電子ビーム直接描画装置の場合には共用セルライブラリを用いて設計情報をパターン情報にしており、ブロック露光を行える回数が増えスループットの向上を望める。【００１９】
また、本発明に係る集積回路設計システムは必要に応じて、前記集積回路設計支援プログラムがコンピュータに読込まれることによる集積回路設計支援装置と、前記ホトマスクレス装置及びホトマスク装置とを備え、当該集積回路設計支援装置がパターン情報又はホトマスクレス装置に入力可能な形式のパターン情報に準じる準パターン情報をホトマスクレス装置に出力し、ホトマスクレス装置が当該パターン情報又は準パターン情報に基づき集積回路の試作を作成し、当該試作に対して評価を行い必要に応じて改良を加えられた共通パターン情報に基づいたホトマスクをホトマスク装置が用いてチップを量産するものである。このように本発明においては、集積回路設計支援装置がパターン情報又は準パターン情報をホトマスクレス装置に出力し、ホトマスクレス装置が当該パターン情報に基づき集積回路の試作を作成し、当該試作に対して評価を行い必要に応じて改良を加えた共通パターン情報に基づいたホトマスクをホトマスク装置が用いてチップを量産するので、ホトマスクレス装置を用いて高価なホトマスクを用いることなく低コストで試作を作成し、必要に応じて改良を加え要求仕様を満たした試作となって顧客から量産の指示を受けた場合に、かかる要求仕様を満たした試作に係るパターン情報を用いて形式的変換をする以外は評価をすることなくホトマスクを作成して量産工程に移行することができ、通常ホトマスクレス装置を用いた場合に試作段階の評価と量産段階の評価が必要になるにも拘らず不要となって、全体としてコストを著しく低減させることができると共に、開発期間も短縮することができる。【００２０】
また、本発明に係る集積回路設計システムは必要に応じて、前記変換手段が電子ビーム直接描画装置の電子ビーム幅により形成される繋ぎ目をアクティブ領域を避けたパターン情報に変換するものである。このように本発明においては、前記変換手段が電子ビーム直接描画装置の電子ビーム幅により形成される繋ぎ目をアクティブ領域を避けたパターン情報に変換するので、ホトマスク装置にとってみれば不必要な繋ぎ目処理が施されたパターン情報となっているが、ホトマスクレス装置で安価にチップを作成して評価ずみのチップに係るパターン情報に基づいてホトマスクを作成し、かかるホトマスクを用いてそのまま量産に移行することができ、コスト低減が図れると共に、開発期間の短縮が望める。【００２１】
また、本発明に係る集積回路設計システムは必要に応じて、前記変換手段が変換したパターン情報をさらにホトマスク装置用にOPC処理を施したパターン情報に変換するものである。このように本発明においては、前記変換手段が変換したパターン情報をさらにホトマスク装置用にOPC処理を施したパターン情報に変換するので、評価済みのチップに係るパターン情報と同一のパターン情報ではないがかかるパターン情報を用いて作成されたホトマスクを使用して作成されたチップが評価済みのチップと同一となるため評価することなしに大量生産することができる。【００２２】
また、本発明に係る集積回路設計システムは必要に応じて、前記ホトマスクレス装置が複数の前記パターン情報又はホトマスク装置に入力可能な形式のパターン情報に準じる準パターン情報に基づき試作をホトマスクを用いず同一のウエーハ上に焼き付けて作成するものである。このように本発明においては、前記ホトマスクレス装置が複数の前記パターン情報に基づき試作をホトマスクを用いず同一のウエーハ上に焼き付けて作成しているので、ホトマスクレス装置によれば同一ウエーハ上にいくつもの種類のチップを形成することができ、高価なウエーハ上に同一会社の複数種類のチップを複数社分形成してチップ形成のコスト削減することができる。【００２３】
また、本発明に係る集積回路設計システムは必要に応じて、外部要求に応じて前記同一ウエーハ上の指定されたそれぞれのチップに係る共通パターン情報に基づいたホトマスクをホトマスク装置で用いてチップを量産するものである。このように本発明においては、外部要求に応じて前記同一ウエーハ上の指定されたそれぞれのチップに係る共通パターン情報に基づいたホトマスクをホトマスク装置で用いてチップを量産するので、共通パターン情報を作成していれば後はほとんど人を介在させることなく、外部要求に応じて自動的に所望のチップを量産することができる。外部要求は本システムにネットワークを介して接続する複数の端末からの発信により行われ、システムはかかる外部要求を受け、人を介在させることなく、迅速にチップの量産に移行することができ、スループットの向上を望める。この外部要求には、生産する集積回路を特定する情報の他、外部要求元を特定する情報、量産するチップ数、生産期限、納入場所を特定する情報、価格を含ませることができる。さらに好ましくは、システム側から製造状況を接続する端末にリアルタイムに発信することもできる。ホトマスクレス装置により試作を完成させた後からの時間を計測し、かかる試作に係る端末に随時時間を報告することで、外部要求を促すこともできる。ホトマスク装置の性能に基づいて増産対応可能数を端末に報告することもできる。これら端末は顧客の端末を想定しているが、システムの使用者側も認識する必要があるため使用者側に報知するための機器（端末、システムに接続するディスプレイ）を設けることが好ましい。【００２４】
また、本発明に係るブロックマスクは、ホトマスクレス装置でブロック露光に使用されるブロックマスクであって、ブロックを構成する辺の長さが異なるブロックが複数形成されたものである。このように本発明においては、従来同じサイズの正方形のブロックのみが複数形成されていたブロックマスクとは異なり、例えばブロックが四角形であれば他のブロックの辺と長さの異なるブロックが複数形成されているので、同じサイズの正方形のブロックに限定されることなく、ブロック寸法を自由にとって様々なブロックをブロックマスク上に形成し、かかるブロックマスクを使用してブロック露光することで効率的に所望のパターンを描画することができる。ここで、通常ブロックは四角形であり、辺の長さが異なるブロックとしては、長方形を用いることが好ましい。【００２５】
また、本発明に係るブロックマスクは必要に応じて、ブロックが長方形に形成されている場合に、ブロックの長辺及び／又は短辺が配線最小ピッチ単位の整数倍の長さを有するものである。このように本発明においては、ブロックが配線最小ピッチを単位にして構成される長方形であるので、ブロックマスク上に効率的に形成できると共に、ブロック露光時にビームの成形、走査が容易となって迅速にパターンを描画することができる。
また、本発明に係るブロックマスクは必要に応じて、形成されている複数のブロックの短辺の長さが同じで、長辺の長さが異なるものである。このように本発明においては、ブロックマスク上のブロックの短辺の長さが統一され、ブロックの長辺が異なるので、ビームの成形、走査がブロックの長手方向のみとなって迅速にパターンを描画することができる。ここで、実際の配線パターンも配線幅は同じで長さだけが異なるものが多数存在するため、多くのパターンに対して使用でき汎用性も高い。【００２６】
また、本発明に係るブロックマスクは必要に応じて、ブロックマスクの縦方向に沿って長辺が形成されているブロックを配置した縦長ブロック領域と、ブロックマスクの横方向に沿って長辺が形成されているブロックを配置した横長ブロック領域とを備えるものである。このように本発明においては、縦長ブロック領域と横長ブロック領域とを備え、それぞれの領域に長手方向を合わせてブロックを配置するので、それぞれの領域に対して高密度にブロックを配置することができ、また、ブロック自体の形成も容易である。特に、ブロックマスクの対角線を境にし、縦長ブロック領域と横長ブロックを備えることで、より高密度にブロックを形成することができる。さらに、実際の配線パターンでは、半導体素子におけるある領域では横方向の配線パターンが集中し、ある他の領域では縦方向の配線パターンが集中しているため、ビームの成形、走査、ブロックの交換にかかる時間を最小限に抑え、迅速にパターン描画することができる。【００２７】
また、本発明に係るホトマスクレス装置は、ブロック露光時に照射されるビーム形状を任意の長方形又は楕円形に変形する手段を備えるものである。このように本発明においては、ビーム形状を長細く変形する手段を備えるので、従来のサイズが同じであるブロックとは異なり、サイズが様々なブロックが形成されているブロックマスクを使用しており、かかるブロックマスクに対応した効率的なブロック露光を行うことができる。具体的に、変形する手段としては、例示として、スリットを可変にしたり、デフレクターで電圧コントロールすることが挙げられる。【００２８】
また、本発明に係るホトマスクレス装置は必要に応じて、ブロック露光時に照射されるビーム形状を保ったまま、形成されたブロックの長辺方向に走査するものである。このように本発明においては、ビーム形状を保形し、一方向に走査するので、迅速にパターンを形成することができる。さらに、ブロック露光時に使用するブロックマスク中の全てのブロックの短辺の長さが同じか、異なるものが存在してもそれ以下であれば、ビーム形状を成形する手段を有しなくてよいし、また、かかる成形する手段を有していた場合にでも使用しないため迅速にパターンを形成することができる。但し、当然であるが、成形して走査してもよい。【００２９】
また、本発明に係るホトマスク装置は必要に応じて、ブロック露光時に複数のビームを一のブロックに対して長手方向に並列させて照射するものである。このように本発明においては、複数のビームを用いて同一のブロックに対して照射するので、迅速にパターンを描画することができる。
また、本発明に係るホトマスク装置は必要に応じて、一のブロックを長手方向に照射するビーム数分に等間隔に分割し、分割した部分にそれぞれのビームを照射して走査させるものである。このように本発明においては、それぞれのビームが同一のブロックを等間隔分走査して照射するので、重複したビーム照射となって誤ったパターン描画することなく、またビーム照射に無駄がなく、迅速にパターンを描画することができる。ここで、ビームの走査方向は、通常は同一方向であるが、逆方向に走査することもできる（すなわち、２つのビームであれば、端から中央方向に走査させることができる）。【００３０】
なお、上記の発明の説明は、本発明に必要な特徴部を全てを列挙したものではなく、場合によってはこれらの特徴部の集合のサブコンビネーションも発明となりうる。
また、本発明に係る集積回路の製造方法は、セルライブラリ中の機能もしくは性能が異なる複数のセル間で、同じ露光工程に該当する構成パターンを動作に影響させることなく同一化したセルを作成し、当該作成したセルをセルライブラリに登録し、当該セルライブラリに基づきパターンを形成したブロックマスクを用いてブロック露光を行うものである。このように本発明においては、セルライブラリ中の同じ露光工程に該当する構成パターンが、動作を変えることなく同一化し、これに基づいてブロックマスクにパターンが形成されているので、このブロックマスクを用いたブロック露光によりさらに多くの領域を露光することができ、描画時間を短縮化することができる。さらに、前記ホトマスクレス工程及びホトマスク工程を組み合せた集積回路の製造方法に、このようなブロックマスクのブロック露光を適用することで、より迅速且つ効率的に試作を製作し、集積回路の大量生産に移行することができる。ここで、動作を影響させることなくとしたが、完全に動作を影響を与えない他、許容できる程度の影響があってもよい。例えば、電気出力レベルが若干低下するが、出力としては問題ないというケースが想定される。さらにこの場合に、出力低下を補うために増幅器を加えた構成にして変更させることもでき、これは、構成パターンを同一化するために回路構成を変えるというアプローチである。【００３１】
また、本発明に係る集積回路の製造方法は、CMOS半導体用のセルライブラリにおいて、1個のN型Tr.と1個のP型Tr.から構成される1入力Gateのセルをセルの基本単位とし、当該前記1入力Gateの基本セルの構成パターンからなるN入力Gateのセルを登録したセルライブラリに基づきパターンを形成したブロックマスクを用いてブロック露光を行うものである。このように本発明においては、N入力Gateのセルが１入力Gateの構成パターンからなり、このセルが登録されたセルライブラリからパターンを形成したブロックマスクを用いてブロック露光を行っており、ブロックマスク上にはたとえば２入力Gateのセル専用の構成パターンのパターンはなく１入力Gateの構成パターンのパターンのみ存在し、２入力Gateのブロック露光時にはブロックマスク上の１入力Gateの構成パターンのパターンをブロック露光してパターンが基板のレジストに転写され、転写する必要があるパターンの殆どをブロックマスク上に形成することができ、時間を要する電子ビームによる描画が必要最小限で済み、描画時間のスループットを向上させることができる。
また、本発明に係る集積回路の製造方法は必要に応じて、ブロックを構成する辺の長さが異なるブロックが複数形成されたブロックマスクを用いるので、ブロックマスクのブロックによる制限が緩くなり、セルの構成パターンをブロックマスクにパターンとして形成することができ、従来ブロック化できなかった構成パターンでもブロック化することができ、より多くの領域をブロック露光することができ、描画時間を大幅に改善することができる。
【発明を実施するための最良の形態】
【００３２】
（本発明の第１の実施形態）
本発明の第１の実施形態に係る集積回路設計システムについて図１ないし図７に基づき説明する。図１は本実施形態に係る開発工程の流れを示すブロック図、図２は本実施形態に係る集積回路設計システムのシステム構成図、図３は本実施形態に係る集積回路設計システムの共用設計環境の構成図、図４は本実施形態に係る繋ぎ目処理の説明図、図５は本実施形態に係るOPC処理の説明図、図６は本実施形態に係る共用セルライブラリの説明図、図７は本実施形態に係る共用セルライブラリの説明図である。【００３３】
本実施の形態では、主にシステムについて説明するが、当業者であれば明らかな通り、本発明はコンピュータで使用可能なプログラムとしても実施できる。そうすると、本発明は、ハードウェアとしての実施形態、ソフトウェアとしての実施形態又はソフトウェアとハードウェアとの組合せの実施形態を採ることができる。プログラムは、ハードディスク、ＣＤ−ＲＯＭ、ＤＶＤ−ＲＯＭ、光記憶装置又は磁気記憶装置等の任意のコンピュータ可読媒体に記録できる。【００３４】
本実施形態に係る集積回路設計システムは、集積回路の機能設計及び／又は論理設計を経て作成される設計情報を、パターン情報に基づいてホトマスクを用いることなく集積回路を作成するホトマスクレス装置１０のパターン特性及びパターン情報に基づいたホトマスクを用いて集積回路を作成するホトマスク装置２０のパターン特性を満たしたパターン情報に変換する変換手段３１を有する集積回路設計支援装置３０と、前記ホトマスクレス装置１０及びホトマスク装置２０とを備え、集積回路設計支援装置３０がパターン情報をホトマスクレス装置１０に出力し、ホトマスクレス装置１０が当該パターン情報に基づき集積回路の試作を作成し、当該試作に対して評価を行い必要に応じて改良を加えた共通パターン情報に基づいたホトマスクによりホトマスク装置２０が用いてチップを量産する構成である。なお、集積回路（Integrated Circuits）は、LSI（Large Scaled IC）等の大規模集積回路を含む。【００３５】
ホトマスク装置２０は、パターン情報に基づいたホトマスクを用いて集積回路を作成する光露光装置２１のことである。光露光装置２１のパターン特性の一つとしては、図５（ａ）のホトマスクパターンのホトマスクを用いて光露光装置２１により光露光を行うとホトマスクパターンの四隅が崩れた同図（ａ）の完成ウエーハ形状となる。これは光露光装置に用いる光がホトマスクを透過する場合、光の波長による回折が原因である。このため光露光装置を行う場合には所望の完成ウエーハ形状となるように崩れる部分が生じる部分に、かかる崩れが生じないように予め補うためのパターンを形成していた。具体的には、図５（ｂ）の左端のホトマスクパターンに、次のホトマスクパターンを重ね合わせたさらに次のホトマスクパターンを用いることで完成ウエーハ形状としていた。このように通常のパターンに補うためのパターンを形成してパターン情報に変換することをＯＰＣ処理と呼ぶ。一方、ホトマスクレス装置１０の場合には、ホトマスクを用いていないため、かかる崩れる部分が生じることはなく崩れを防止するためのＯＰＣ処理は行われていない。逆に、崩れを防止するためのＯＰＣ処理をすることにより想定したパターンと異なる完成ウエーハ形状となる。【００３６】
ホトマスクレス装置１０は、パターン情報に基づいてホトマスクを用いることなく集積回路を作成するものであり、例えば電子ビーム直接描画装置１１が該当する。電子ビーム直接描画装置１１のパターン特性の一つとしては、電子ビームのスキャン幅に制限があるため１列スキャンを行った後に次の列をスキャンするときに繋ぎ目が生じる（図４（ａ）参照）ということである。この繋ぎ目が図４（ｂ）のようにゲート電極形成部分に形成される場合にはトランジスタとしての性能に影響を与えるため不具合が生じる可能性が多分にある。一方、図４（ｃ）に示すようにゲート電極形成部分に繋ぎ目を形成することなく配線部分に繋ぎ目を形成する場合には、配線が精度をそこまで要求することなく正常に動作することができるため、不具合が生じる可能性は略ない。したがって、このようにアクティブ領域に繋ぎ目が形成されないようにパターン情報を作成する繋ぎ目処理が電子ビーム直接描画装置１１にとっては肝要である。一方、光露光装置２１の場合には電子ビームを用いて一括露光するのであってスキャンするわけではないので、繋ぎ目は形成されず繋ぎ目を考慮した繋ぎ目処理を施したパターン情報は必要ない。なお、ホトマスクレス装置１０としては、電子ビーム直接描画装置１１以外に、例えば、電子線の代わりにレーザービーム（Lase Beam）や光をスキャンしてウエーハ上に直接描画する原理を用いたレーザビーム直接描画装置を用いることもできる。この他の原理を用いるものであってもホトマスクを用いることなく、パターン情報に基づき集積回路を作成できる装置であればホトマスクレス装置１０として用いることができる。特に、最近では、電磁波に弱く、専用のレジストの形成が難しい電子線の代わりに、かかるデメリットのないミラーデバイスを用いた光による描画を行う装置が用いられ始めようとしている。かかる装置もホトマスクレス装置となる。【００３７】
また、電子ビーム直接描画装置１１は、光露光装置２１に比べスループットが非常に悪いため、繰り返しパターンからなるスタンプを電子ビームで描画するブロック露光を用いる。このブロック露光に関して電子ビーム直接描画装置１１のパターン特性の一つとしては、ブロック露光で形成する部分が増加する程スループットが向上するということである。ブロック露光は別名セルプロジェクションとも呼ばれており、繰り返し使用されるセル単位を予めブロックマスクに描いておき、このブロックマスクを繰り返し露光する方式である。【００３８】
現状ホトマスク装置用のセルライブラリが用意され、このホトマスク装置用のセルライブラリを用いて作成したパターン情報を電子ビーム直接描画装置に用いており、電子ビーム直接描画装置用のセルライブラリはほとんど存在しなかった。ホトマスク装置用のセルライブラリは、当然電子ビーム直接描画装置のブロック露光のことをまったく考慮していないため、最小レイアウトルールを遵守しながら最小パターンとなるようにパターン構成図が設計されているのみである。ここで最小レイアウトルールとは、セルパターンをレイアウトする場合の最小寸法のルールをいい、例えば、ソース・ドレイン、ゲート、スルーホール、Ａｌ配線幅等のの最小寸法、加えて、スルーホールゲートの最小スペース等の項目について、各製造工程毎に決められているルールである。このためパターン構成図が細かい違いだけで多種なものが用意され、このようなパターン構成図からなるセルライブラリーを用いてパターン情報を作成することからまったくブロック露光には適さないパターン情報となる。電子ビーム直接描画装置１１に搭載できるブロック露光のためのホトマスクには制限があり、ブロック露光できる種類の数が制限される。したがって、すぺてのパターンをブロック露光することはできない。このため折角スループット向上のためのブロック露光が電子ビーム直接描画装置に用意されているものの十分な効果が得られていない。十分なスループットの向上を目標とするためには、ブロック露光を考慮した電子ビーム直接描画装置用のセルライブラリが必要となる。一方、光露光装置の場合には光を用いて一括光露光するのであってスキャンするわけではないので、十分なスループットを備えている。【００３９】
前記集積回路設計支援装置３０は、集積回路の設計情報を、ホトマスクレス装置１０のパターン特性及びホトマスク装置２０のパターン特性を満たしたパターン情報に変換する変換手段３１を有し、設計環境を担うものの1つである。設計環境は、従来から色々な形式で提案されてきており、構成要素としてEDA (Electronic Design Automation)ソフト、検証ソフト、セルライブラリ、ＩＰ(Intellectual Property)３４、ＯＰＣ(Optical and Process Correction)処理ソフト等を例示することができる。図３に示すように、一般的には設計者は設計情報に基づきEDAソフトを用いて各工程の成果物（パターン情報等）を作成する。汎用回路の集合であるＩＰ３４及びパターン構成図の集合であるセルライブラリは、通常EDAソフトを使って使用される。これらの設計環境の構成要素とは別に設計環境の構成要素として集積回路設計支援装置３０が実装されたり、EDAソフト３２の中の一機能として実装されたりする場合もある。【００４０】
前記変換手段３１は、設計情報をパターン情報に変換するのであるが、光露光装置２１及び電子ビーム直接描画装置１１両用の両用セルライブリ３３を用いて変換する。この両用セルライブラリ３３は、従来のホトマスク装置用のセルライブラリとは異なり、ブロック露光を考慮した電子ビーム直接描画装置１１用のセルライブラリと略同一である。略同一としたのは、光露光装置２１の制限で必ずパターン構成図をあるパターンとしなければならない場合が想定され、その場合には厳密に電子ビーム直接描画装置用のセルライブラリと同一ではないからである。この両用セルライブラリ３３を用いることにより、光露光装置２１にとっては若干冗長なパターン情報になることが予想されるが、ブロック露光によるスループット向上の効果に比べれば小さな悪因にすぎない。というのは、トランジスタ自体の微細化により半導体の集積率が著しく向上していった現状を勘案すればパターンの若干の大小により集積回路全体として受ける影響が些細なものであることは明らかであろう。ホトマスク装置２０用のセルライブラリと共用セルライブラリ３３との具体的な比較例を示したのが図６である。全体図面の行ではホトマスク装置２０用のセルライブラリは３種類のパターン形成を有し、共用セルライブラリ３３もそれに対応する３種類のパターン形状を有している。この全体図面ではホトマスク装置２０用のセルライブラリのパターン形状は共用セルライブラリのパターン形状に比べコンパクトに形成されている。しかし、パターン形状を構成するソース・ドレインパターン、ゲート・パターン、スルーホールパターン及び配線パターンのパターン構成図（セルの構成要素である構成パターン）に分けて見ると（実際はこれ以外にウェル、多層配線等層数は１５ないし５０層にもなるが、ここでは説明の便宜のため４層のみとしている）、ホトマスク装置２０用のセルライブラリが１２種類のパターン構成図を要するのにも拘らず、共用セルライブラリ３３ではその半分のパターン構成図しか必要としないことがわかる。このようにしてパターン構成図を少なくすることでブロック露光によりパターンを形成できる回数を増やしてスループットを向上させる。なお、同図では１つのトランジスタを例題にしたが、複数のトランジスタがセルとして構成されていても全く同様に共用セルライブラリではパターン構成図が少なくなる。また、従来１セルあたりのパターン形状としては機能ブロック毎にセルライブラリに登録されていた。機能ブロックとは、例えば、インバータ、NAND等の論理ゲートのことを示す。図７ではNANDの場合について回路図（図７（a））、従来のホトマスク装置２０用のセルライブラリに登録されているパターン形状（図７（ｂ））、共用セルライブラリに登録されているパターン形状（図７（ｃ））を示している。すなわち、図７（ｂ）のパターン形状の場合ホトマスク装置２０で光露光する場合には一括してできるためなんら問題が生じないが、図７（ｂ）のパターン形状のままホトマスクレス装置１０で描画する場合には数十ないし数百倍の時間が掛ってしまう。そこで、図７（ｃ）のパターン形状を用いることで略ブロック露光でパターン形成することができる。【００４１】
以下、セルライブラリのセルの構成パターンとブロックマスク上のパターンとブロック露光に関して詳述する。図７（ｂ）のパターン形状のセルを、セルの構成パターンに分け、ブロックマスク上にパターンを形成することで、ブロック露光を行うこともできるが、ブロックマスクの領域にも制限があり、使用頻度の少ないセルの構成パターンはブロックマスク上にパターンを形成することができない。そうすると、前記したように、ホトマスクレス装置１０で描画する場合にブロック露光を用いることができない部分に対して電子ビームによる描画がなされて相当の時間を要し、かかる部分の描画が全体の描画時間に与える影響が大きいため、全体としての描画時間も長くなる。したがって、描画する場合にはできるだけ多くの領域をブロック露光する必要があり、限られたブロックマスク上の領域にできれば全てのセルの構成パターンを形成することが好ましい。なお、あるセルの構成パターンと、他のセルの構成パターンとが共通であることが求められるが、この場合に論理ゲートの種類は必ずしも同一である必要はない。例えば、インバータのスルーホールの構成パターンと、２入力NANDのスルーホールの構成パターンとが共通であれば、ブロックマスク上の同一パターンを使用してブロック露光を行うことができる。セルの情報と構成パターンの情報とは関連付いており、あるセルがどの構成パターンを組み合せてなるかがわかる。【００４２】
そこで、セルライブラリ中の機能もしくは性能が異なる複数のセル間で同種類の構成パターンを、動作を変えることなく同一化しセルライブラリを作成し（具体例として図６の共用セルライブラリーの構成パターンのように同一化を図ることができ）、このセルライブラリのセルの構成パターンに基づきパターンを形成したブロックマスクを用いてブロック露光を行うことで、より多くのセルの構成パターンがブロックマスク上にパターンとして形成され、より多くの領域でブロック露光を使用することができ、描画時間の短縮化を大幅に図れる。さらに、後記する第３の実施形態に係るブロックマスク上に、このようなセルライブラリのセルの構成パターンに基づきパターンを形成する構成にすることもでき、かかるブロックマスクはブロックの形状の自由度が高く、従来ブロックマスク上にパターンとして形成することができなかったセルの構成パターンでも形成することができ、さらに生産性を向上させることができる。【００４３】
このような構成パターンの同一化を図るとき、例えば、図７（ａ）に示す４入力NANDの回路の場合には、既に作成した図７（ｃ）に示す１入力NANDのセルに基づいて４入力NANDのセルを作成するアプローチが肝要となる（逆のアプローチであってもよい。）。こうすることで、４入力NANDのセルの構成パターンは１入力NANDの構成パターンと同一化され、セルライブラリ中の構成パターンの数が減少し、構成パターンの殆どをブロックマスク上にパターンとして形成することができる。ただし、図７（ｂ）及び図７（ｃ）を参照すると分かるように、構成パターンの全てが同一化される必要はなく、相違する部分に関しては再び構成パターンとするか、電子ビームで描画することで対応することができる。この場合であっても、ブロックマスクでブロック露光のみで転写されて完成する部分が増えるだけで、電子ビームによる描画が少なくなるため、同一化した分のスループットは向上する。【００４４】
また、前記変換手段３１は、繋ぎ目処理を行ってパターン情報とする。この繋ぎ目処理は、従来から電子ビーム直接描画装置１１のパターン情報に対しては行っていたのであるが、光露光装置２１のパターン情報に対しては行ってきていない。これは光露光装置は繋ぎ目が生じないため繋ぎ目処理を施す必要ないことと、施すことによって若干冗長なパターン情報になるからである。【００４５】
また、前記変換手段３１は、変換されたパターン情報に対して光露光装置２１のパターン情報にするためにOPC処理を施す。前記両用セルライブラリ３３及び繋ぎ目処理までの変換においては電子ビーム直接描画装置１１のパターン情報と光露光装置２１のパターン情報とは同一であるが、OPC処理をすると電子ビーム直接描画装置１１のパターン情報と光露光装置２１のパターン情報は同一でなくなる。これは電子ビーム直接描画装置１１にはOPC処理をすることで不具合が生じるからである。すなわち、電子ビーム直接描画装置１１に対してOPC処理を施すと、前記したように想定したパターンと異なる完成ウエーハ形状となるからである。確かに、パターン情報は同一ではなくなったが、OPC処理していないパターン情報に基づき電子ビーム直接描画装置１１によりウエーハに描画し試作された集積回路と、OPC処理しているパターン情報に基づき光露光装置２１によりウエーハに光露光し試作された集積回路とが同一となる。よって、図5（ｃ）に示すように、電子ビーム直接描画装置１１にはOPC処理していないパターン情報を出力して集積回路を作成し、光露光装置２１にはOPC処理済みのパターン情報を出力して集積回路を作成する。このように切りわけることで、同一の完成ウエーハ形状を得ることができる。【００４６】
次に、本実施形態に係る集積回路設計システムの動作について説明する。ここで、集積回路設計支援装置３０は、EDAソフト３２の中の一機能として実装された場合について説明する。また、ホトマスクレス装置１０は電子ビーム直接描画装置１１とし、描画するための機能以外に端末が備えつけられてありパターン情報から描画情報に変換し描画可能とする。ホトマスク装置２０は光露光装置２１とする。ホトマスク装置のためのホトマスクを作成するホトマスク作成装置４０も用意されていることとし、このホトマスク作成装置４０にはパターン情報に基づきホトマスクを作成することができる端末が備わっていることとする。本実施形態に係る集積回路設計システムの動作自体にも特徴があり、ホトマスクを生産せず試作を作成することができるといったホトマスクレス試作方式の長所と量産時に試作時のパターン情報をそのまま使用することができるといったホトマスク試作方式の長所を併せ持つホトマスクレス試作方式とホトマスク試作方式を融合したホトマスクレス・ホトマスク融合方式を実現した集積回路の設計方法を実装している。【００４７】
まず、顧客（Setメーカー）でシステム設計をし（ステップ１）半導体メーカーに対して試作発注を機能仕様書を伴って行う（ステップ２）。Setメーカから機能仕様書が送られてきて、それを受け取った設計管理者は機能仕様書（機能図、HDL、論理式、真理値表）を見て、使用できるIPを探しIPがない部分について担当割けし部下である設計者にそれぞれの担当部分の機能仕様書を渡す。各担当者は、機能仕様書をEDAソフトのうち論理合成のソフトに送り、論理合成のソフトがある程度の論理回路（ネットリスト）を作成する。この論理回路（ネットリスト）で完成していない部分や不備がある部分を設計者が見つけ回路図設計のソフトを用いて適宜IPを参照して論理回路（ネットリスト）を完成させる。次に、各設計者は作成したネットリストに対して論理シュミレーションを行い、適宜EDA Toolのうち回路図設計のソフトで修正を行う。それぞれの設計者の担当部分が完成した後に、各論理回路（ネットリスト）を組み合わせてさらにEDA Toolのうちシュミレーションソフトを用いて論理シュミレーションを行い、不備がある場合には適宜設計者に担当部分を戻し、全体の論理回路（ネットリスト）が完成するまで行う。
完成した論理回路（ネットリスト）をEDA Toolのうち集積回路設計支援装置が機能化したレイアウト設計ツールに送り、変換手段が両用セルライブラリ３３を参照しながら繋ぎ目処理をしてパターン情報を作成する。作成されたパターン情報をEDA Toolのうちレイアウト検証ツールを用いて検証し、適宜レイアウト設計ツールにより修正を行ってパターン情報を完成させる。以上のようにしてLSI設計を行う（ステップ３）。【００４８】
完成したパターン情報を電子ビーム直接描画装置１１に出力する。電子ビーム直接描画装置１１は、ウエーハをホトマスクなしに直接描画（もしくはブロックマスクを用いたブロック露光）してウエーハ（シャトル）を完成させ（ステップ４）、ウエーハ上のチップに対して評価を行い（ステップ５）、所望の要求仕様が満たされない場合には設計をやり直しホトマスクパターンを作成し直し、評価の結果が仕様を満たすまで繰り返し行われる（評価はウエーハ上のチップのみならず、チップをマウントした状態、パッケージした状態でも同様に行われる）。所望の評価が得られた場合には、かかるパターン情報を共通パターン情報として保存する。Setメーカには、チップをパッケージに封入したWS（Working Sample）を顧客（Setメーカー）に納入し（ステップ６）、顧客（Setメーカー）はかかるWSを評価する（ステップ７）。評価の結果顧客（Setメーカー）が変更を要すると判断した場合には顧客はシステム設計に移行して再び試作・発注を行う。評価の結果顧客（Setメーカー）が変更を要しないと判断した場合には半導体メーカーに対して量産発注を行う（ステップ８）。半導体メーカーは前記と同一設計環境となるEDAソフト３２、セルライブラリ３３、レイアウトルール、IP３４等を使用して量産発注を受けた時の共通パターン情報に対して変換手段３１がOPC処理を行ってOPC処理済みパターン情報としてホトマスク作成装置４０に出力する。ホトマスク作成装置はかかるOPC処理済みパターン情報に基づきホトマスクを作成する（ステップ９）。このホトマスクを修正を行うことなく量産用ホトマスクとして用いて量産を行う（ステップ１０）。製品を製造した後顧客（Setメーカー）にかかる製品を納品する（ステップ１１）。【００４９】
このように本実施形態に係る集積回路設計システムよれば、集積回路の機能設計及び／又は論理設計を経て作成される設計情報を、パターン情報に基づいてホトマスクを用いることなく集積回路を作成するホトマスクレス装置１０のパターン特性及びパターン情報に基づいたホトマスクを用いて集積回路を作成するホトマスク装置２０のパターン特性を満たしたパターン情報に変換する変換手段３１を有する集積回路設計支援装置３０を備えているので、ホトマスクレス装置１０及びホトマスク装置２０のどちらにも同一のパターン情報で用いることができ、また、形式的にパターン情報が異なっている場合にも、少なくとも最終的なウエーハ上に形成されるチップが同一となり、ホトマスクレス装置１０のみを使用する集積回路開発、ホトマスク装置２０のみを使用する集積回路開発、並びに、ホトマスクレス装置１０及びホトマスク装置２０を使用する集積回路開発にそのままパターン情報を用いることができ、様々な開発方法を用いることができる。また、本実施形態に係る集積回路設計システムによれば、前記変換手段３１がホトマスクレス装置１０のパターン特性及びホトマスク装置２０のパターン特性を満たしたパターン構成図の集合である共用セルライブラリ３３を用いてパターン情報に変換するので、ホトマスクレス装置のパターン情報とホトマスク装置のパターン形状が略同一となってどちらの装置を用いても同じチップを作成することができ、特に、ホトマスクレス装置１０が電子ビーム直接描画装置１１の場合には共用セルライブラリを用いて設計情報パターン情報にしており、ブロック露光を行える回数が増えスループットの向上を望める。また、本実施形態に係る集積回路設計システムよれば、当該集積回路設計支援装置３０がパターン情報をホトマスクレス装置１０に出力し、ホトマスクレス装置１０が当該パターン情報に基づき集積回路の試作を作成し、当該試作に対して評価を行い必要に応じて改良を加えた共通パターン情報に基づいたホトマスクによりホトマスク装置２０が用いてチップを量産するので、ホトマスクレス装置１０を用いて高価なホトマスクを用いることなく低コストで試作を作成し、必要に応じて改良を加え要求仕様を満たした試作となって顧客から量産の指示を受けた場合に、かかる要求仕様を満たした試作に係るパターン情報を用いて形式的変換をする以外は評価をすることなくホトマスクを作成して量産工程に移行することができ、通常ホトマスクレス装置１０を用いた場合に試作段階の評価と量産段階の評価が必要になるにも拘らず不要となって、全体としてコストを著しく低減させることができると共に、開発期間も短縮することができる。さらには、図１１の従来のホトマスクレス試作方式によれば、試作段階で半導体メーカーＡを顧客が指名して試作を作らせた後、量産段階で半導体メーカーＢを顧客が指定して量産させている場合もあったが、すなわち、試作段階と量産段階との関連性が希薄であって別々の会社に発注する場合と同一の会社に一貫して試作段階及び量産段階を発注する場合とで顧客から見るとどちらの場合でも同じ開発期間を要して同一チップができるため全体としてコストが低くなるように会社を選んでいたが、本発明によれば、試作段階と量産段階との関連性が強固となって半導体メーカーからみれば顧客の囲い込みをすることができ、一方顧客から見れば開発期間が著しく短期間となる利益を受けることができる。また、本実施形態に係る集積回路設計システムによれば、前記変換手段が電子ビーム直接描画装置の電子ビーム幅により形成される繋ぎ目をアクティブ領域を避けたパターン情報に変換するので、ホトマスク装置２０にとってみれば不必要な繋ぎ目処理が施されたパターン情報となっているが、ホトマスクレス装置１０で安価にチップを作成して評価ずみのチップに係るパターン情報に基づいてホトマスクを作成し、かかるホトマスクを用いてそのまま量産に移行することができ、コスト低減が図れると共に、開発期間の短縮が望める。また、本実施形態に係る集積回路設計システムによれば、前記変換手段が変換したパターン情報をさらにホトマスク装置用にOPC処理を施したパターン情報に変換するので、評価済みのチップに係るパターン情報と同一のパターン情報ではないがかかるパターン情報を用いて作成されたホトマスクを使用して作成されたチップが評価済みのチップと同一となるため評価することなしに大量生産することができる。【００５０】
なお、本実施形態に係る集積回路設計システムにおいては、パターン情報をそのまま電子ビーム直接描画装置又は光露光装置に出力したが、パターン情報を電子ビーム直接描画装置又は光露光装置に理解できる形式に形式的な変換をして出力することもできる。
また、本実施形態に係る集積回路設計システムにおいては、集積回路設計支援装置は、EDA Toolsの中の一機能として実装された場合について説明したが、設計環境の構成要素として集積回路設計支援装置を実装することもでき、例えば、設計情報からパターン情報に変換するEDA Toolsがあった場合には、このEDA Toolsの要求に応じて共用セルライブラリ３３を読み出したり、繋ぎ目処理、ＯＰＣ処理を行なったりすることができる。また、集積回路設計支援装置３０は、複数の装置から構成されていてもよく、共用セルライブラリ３３を読み出す装置、繋ぎ目処理をする装置及びＯＰＣ処理をする装置から構成されていてもよい。【００５１】
また、本実施形態に係る集積回路設計システムにおいては、ホトマスク作成装置４０によりホトマスクを作成するとしたが、通常ホトマスクを作成する装置は電子ビーム直接描画装置１１と同じ原理の電子ビームホトマスク描画装置４１であり、当該電子ビーム直接描画装置１１がホトマスクレス装置１０とホトマスク作成装置４０を担うことも可能である。
また、本実施形態に係る集積回路設計システムにおいては、アクティブ領域を避けたパターン情報に変換するとしたが、パターン情報中のアクティブ領域を追加したり（マスクレス工程）、削除したり（マスク工程）することを、設計Ｔｏｏｌソフトで行う構成にすることもできる。【００５２】
（本発明の第２の実施形態）
本発明の第２の実施形態に係る集積回路設計システムについて図８に基づき説明する。図８は本実施形態に係る集積回路設計システムのシステム構成図である。
本実施形態に係る集積回路設計システムは、前記第１の実施形態に係る集積回路設計システムと同様に構成され、加えて、第１に前記ホトマスクレス装置１０が複数の前記パターン情報に基づき試作をホトマスクを用いず同一のウエーハ上に焼き付けて作成し、第２に外部要求に応じて前記同一ウエーハ上の指定されたそれぞれのチップに係る共通パターン情報に基づいたホトマスクによりホトマスク装置を用いてチップを量産する点を特徴とする構成である。【００５３】
本実施形態に係る集積回路設計システムの動作説明を第１の実施形態に係る動作説明に組み入れて説明する。前記ステップ１ないしステップ３までは同様に行ってパターン情報を複数用意しておく。次に、複数のパターン情報を電子ビーム直接描画装置１１に出力し、ホトマスクなしに直接描画して複数のチップを形成してウエーハ（シャトル）を完成させる。同一ウエーハ上のそれぞれのチップに対して評価を行い、所望の仕様が得られない場合には設計をやり直しホトマスクパターンを作成し直し、評価の結果が仕様を満たすまで繰り返し行われる（評価はウエーハ上のチップのみならず、チップをマウントした状態、パッケージした状態でも同様に行われる）。所望の評価が得られた場合には、かかるパターン情報を共通パターン情報として保存する。Setメーカには、それぞれのチップをパッケージに封入したWS（Working Sample）をそれぞれの顧客（Setメーカー）に納入し、各顧客（Setメーカー）はかかるWSを評価する。評価の結果顧客（Setメーカー）が変更を要すると判断した場合には顧客はシステム設計に移行して再び試作・発注を行う。評価の結果各顧客（Setメーカー）が変更を要しないと判断した場合には半導体メーカーに対して随時量産発注を行う。半導体メーカーは前記と同一設計環境となるEDAソフト３２、セルライブラリ３３、レイアウトルール、IP３４等を使用して量産発注を受けた時の共通パターン情報に対して変換手段３１がOPC処理を行ってOPC処理済みパターン情報としてホトマスク作成装置４０に出力する。ホトマスク作成装置はかかるOPC処理済みパターン情報に基づきホトマスクを作成する。このホトマスクを修正を行うことなく量産用ホトマスクとして用いて量産を行う。製品を製造した後顧客にかかる製品を納品する。【００５４】
このように本実施形態に係る集積回路設計システムによれば、前記ホトマスクレス装置１０が複数の前記パターン情報に基づき試作をホトマスクを用いず同一のウエーハ上に焼き付けて作成しているので、ホトマスクレス装置１０によれば同一ウエーハ上にいくつもの種類のチップを形成することができ、高価なウエーハ上に同一会社の複数種類のチップを複数社分形成してチップ形成のコスト削減することができる。例えば、１枚のウエーハが１００［万円］とすると、１０社（１０品種）でシェアすると１０万円のコストで済む。通常、１枚のウエーハから５００ないし１０００［個］のチップを形成することができ、試作品として同一種類のチップは１０ないし２０個で十分であるため、十分複数の会社でシェアすることができ、コストを低減することができる。なお、ホトマスク装置２０の場合には同一ウエーハ上に４ないし６種類のチップを形成するのが限界であった（原因はホトマスクの寸法制限である）。また、本実施形態に係る集積回路設計システムによれば、外部要求に応じて前記同一ウエーハ上の指定されたそれぞれのチップに係る共通パターン情報に基づいたホトマスクによりホトマスク装置を用いてチップを量産するので、共通パターン情報を作成していれば後はほとんど人を介在させることなく、外部要求に応じて自動的に所望のチップを量産することができる。また、図８に示すように、本集積回路設計システムと、複数の顧客の設計端末と通信回線によりデータ通信可能とすることにより、世界中の顧客から同時に開発を請け負うことができ、試作から量産への一貫した開発工程を実現することができる。また、量産工程が略人を介在させることなく可能であるということは、納品日の決定が行いやすく、顧客は随時半導体メーカーに問い合わせることで、正確な納品日の回答を迅速に受けることができる。【００５５】
（本発明の第３の実施形態）
本発明の第３の実施形態に係る集積回路設計システムについて図９または図１０に基づき説明する。
本実施形態に係る集積回路設計システムは、前記第１の実施形態に係る集積回路設計システムと同様に構成され、ブロック露光で使用されるブロックマスク５０の構成を異にする構成である。【００５６】
図９は本実施形態に係るブロックマスクの平面図である。前記ブロックマスク５０は、従来正方形に形成されていたブロック５１と異なり、たとえば図９に示すように、ブロックを構成する辺の長さが異なるブロック５１が複数形成されたものである。正方形であったものに対し長方形のものを混在させるだけで相当の自由度を得ることができるが、さらに、それぞれのブロック５１を構成する辺の長さを変えることで、ブロック５１内に自由にパターンを形成することができる。従来であれば、あるパターンをブロック露光を用いて露光するためにブロック５１内にパターンを形成しようとしても、ブロックサイズの制限からかかるパターンをブロック露光を用いて露光することができず電子ビームで描画するしかなかった。また、頻繁に使用されるパターンについて、１つのブロック５１内に収まらない場合には複数のブロック５１に分割してパターンをブロックマスク上に形成していた。この場合、分割することにより設計に手間がかかるだけでなく、ブロック露光する場合に複数回のブロック露光で１つのパターンを得る必要があるため非常に高い精度の位置あわせを必要としていた。このような従来の状況から、逆に、パターンに基づいてブロックサイズをある程度自由に設定しようとするのが、本実施形態の中心的な思想である。【００５７】
ブロックマスク５０のブロック５１は、たとえば図９に示すように、ブロックマスク５０上の全てのブロック５１の短辺が長さが同じで、長辺の長さが異なるものである。短辺側のビーム幅は変えることなく、長辺側のビーム幅を成形するか、走査するかで（成形及び走査を組み合せてもよい）ブロック露光を行うことができ、短辺側のビーム幅を変更しないため、迅速にブロック露光を行うことができる。複数のビームを使用する場合には、ビーム数が増える度に迅速性が増す。【００５８】
また、図９のブロックマスク５０は、ブロックマスク５０の縦方向に沿って長辺が形成されているブロックを配置した縦長ブロック領域５３と、ブロックマスク５０の横方向に沿って長辺が形成されているブロックを配置した横長ブロック領域５２とを備えるものである。このように領域を分けることで、一方の領域に関してブロック露光を行う場合に、ビームの走査が一方向となって迅速性が増し、また、ブロックマスク５０上のブロック５１の形成自体も容易となる。また、高密度にブロック５１を形成することができるだけでなく、通常パターンは縦横方向に延出して形成されているので、このような領域分けも実際のパターンに即しており、適用性も高い。さらには、縦長ブロック領域５３と横長ブロック領域５２とが、ブロックマスク５０の対角線を中心として相対しており、無駄な部分がなくブロックマスク５０上のスペースを有効に活用している。【００５９】
また、図９に示すように、横長ブロック領域５２を例にとると、１番上のブロック５１を走査した後は、２番目のブロック５１に略連続して露光することができ、以降同様に略連続して露光することができる。また、図９のようなパターンであれば、横長ブロック領域５２の一番上のブロック５１を横右方向にビームで走査し、次に、縦長ブロック領域５３の右端のブロック５１を縦下方向にビームで走査し、次に、縦長ブロック領域５３の右端から２番目のブロック５１を縦上方向にビームで走査し、次に、横長ブロック領域５２の上から２番目のブロック５１を横左方向にビームで走査し、以降、同様にビームを走査することで、無駄のない走査で、ブロック露光を実現することができる。このようなビームの走査を行う場合には、実際のパターンがかかる走査で適切に描画できるようにブロック５１の順序を考慮する必要がある。また、走査は通常ブロックマスクを動かして実現される。【００６０】
本実施形態では、ブロック露光時に照射されるビーム形状を任意の長方形に変形するデフレクター（図示しないが、背景技術の図１３に示している）を備える。デフレクター(deflector)は、電解又は磁界を利用して電子ビームの進行方向を曲げる働きをするものである。デフレクターで電圧コントロールすることで、ビーム形状を変更することができる。このようなデフレクターを備えた方が、本実施形態のような形状の異なるブロックを有するブロックマスク５０に対して適切に露光することができる。また、このデフレクター、レンズ、成形アパーチャなどが有機的に結合された成形偏向系を用いて、電子ビームを任意に成形することができる。【００６１】
パターンを形成する場合に、同じブロック５１に対してブロック露光を繰り返し行う場合があるが、この場合に複数のビームを対象ブロックの長手方向に並列させてブロック露光することで迅速な露光を行うことができる。このようなブロック露光を行う場合、それぞれのビームが同じ長さ分走査されて露光することで、最も早くブロック露光を完了することができる。より好しい構成としては、対象ブロックを使用するビーム数分で名目上等間隔に分割し、各分割したブロック５１をそれぞれのビームで同方向に走査するものがある。この構成によれば、ビーム数の多いぶん走査距離が少なくなって迅速にブロック露光を実現することができる。具体的には、図１０（ａ）に示すように、あるブロック５１が存在する場合に、名目上の分割線を引き、かかる分割線でブロック５１を分割し、それぞれのビームで走査してパターンを形成する。実際には分割線は引かれず、ブロックの長辺の長さをビーム数で除算し、商の値の長さ分それぞれのビームで走査することになる。また、ビームの初期位置も、基準点から商の整数倍を足して求めることができる。図１０（ｂ）は、３つのビームを用いて露光する場合の走査例を示す。図１０（ｃ）は、ビームが相対する方向に走査されているが、これはビーム自体を動かす必要がある（上記図１０（ａ）（ｂ）は同方向の移動となるため、ブロックマスク５０自体を動かすことで実現することができる。）。【００６２】
このように本実施形態に係る集積回路設計システムにおいては、上記のようなブロックマスク５０を用いることで、ホトマスクレス装置１０が試作を作成する時間を大幅に縮めることができる。すなわち、試作を短い期間で製作し、顧客に評価された後に、共通パターン情報に基づいたホトマスクでホトマスク装置２０を用いてチップを量産することで、時間的な顧客の要望を満たし、トータルのコストの低減を実現することができる。
なお、本実施形態に係る集積回路設計システムにおいては、一部の例外的なパターンを除き、パターンは通常配線最小ピッチ単位の整数倍となっているので、ブロックマスク５０のブロック５１の長辺及び短辺もかかる配線最小ピッチ単位の整数倍としておくことで、ブロックマスク５０上のブロック５１も整理した状態で配置することができ（必要以上に自由にブロック５１の長さを決めることができることにより逆に煩雑となる）、また、ブロック５１が常にある単位の整数倍となっていることでビーム形状を成形したり、走査することが容易となる。より好ましい形態としては、ブロック５１同士の間隙も配線最小ピッチ単位の整数倍とするものがある。また、ここでは、配線最小ピッチ単位の整数倍としたが、他の長さを単位にすることもできるし、整数倍だけでなく１／ｎ（ｎを整数とする）倍であってもよい。【００６３】
以上、本発明を実施形態で説明したが、本発明の技術的範囲はこの実施形態に記載された範囲のみに限定されない。実施形態に、様々な変更又は改良を加えることができ、このような変更例又は改良例の形態も本発明の技術的範囲に含まれうることが、特許請求の範囲の記載からも明らかである。【００６４】
（付記１）
集積回路の機能設計及び／又は論理設計を経て作成される設計情報を、パターン情報に基づいてホトマスクを用いることなく集積回路を作成するホトマスクレス装置のパターン特性及びパターン情報に基づいたホトマスクを用いて集積回路を作成するホトマスク装置のパターン特性を満たしたパターン情報に変換する変換手段を備えることを特徴とする集積回路設計支援装置。【００６５】
（付記２）
前記付記１に記載の集積回路設計支援装置において、前記変換手段がホトマスクレス装置のパターン特性及びホトマスク装置のパターン特性を満たしたパターン構成図の集合である共用セルライブラリーを用いてパターン情報に変換することを特徴とする集積回路設計支援装置。【００６６】
（付記３）
前記付記１または付記２に記載の集積回路設計支援装置と、前記ホトマスクレス装置及びホトマスク装置とを備え、当該集積回路設計支援装置がパターン情報又はホトマスクレス装置に入力可能な形式のパターン情報に準じる準パターン情報をホトマスクレス装置に出力し、ホトマスクレス装置が当該パターン情報又は準パターン情報に基づき集積回路の試作を作成し、当該試作に対して評価を行い必要に応じて改良を加えられた共通パターン情報に基づいたホトマスクでホトマスク装置を用いてチップを量産することを特徴とする集積回路設計システム。
【図面の簡単な説明】
【００６７】
【図１】本発明の第１の実施形態に係るの開発工程の流れを示すブロック図である。
【図２】本発明の第１の実施形態に係る集積回路設計システムのシステム構成図である。
【図３】本発明の第１の実施形態に係る集積回路設計システムの共用設計環境の構成図である。
【図４】本発明の第１の実施形態に係る繋ぎ目処理の説明図である。
【図５】本発明の第１の実施形態に係るOPC処理の説明図である。
【図６】本発明の第１の実施形態に係る共用セルライブラリの説明図である。
【図７】本発明の第１の実施形態に係る共用セルライブラリの説明図である。
【図８】本発明の第２の実施形態に係る集積回路設計システムのシステム構成図である。
【図９】本発明の第３の実施形態に係るブロックマスクの平面図である。
【図１０】本発明の第３の実施形態に係る複数ビームの走査説明図である。
【図１１】従来のホトマスク試作方式の開発工程の流れを示すブロック図である。
【図１２】従来のホトマスクレス試作方式の開発工程の流れを示すブロック図である。
【図１３】従来のブロックマスクを使用した直接描画装置の駆動説明図及びブロックマスクの正面図である。
【図１４】一般的なＬＳＩの配線パターンの部分正面図である。
【符号の説明】
【００６８】
１０  ホトマスクレス装置
１１  電子ビーム直接描画装置
２０  ホトマスク装置
２１  光露光装置
３０  集積回路設計支援装置
３１  変換手段
３２  EDAソフト
３３  両用セルライブラリ
３４  IP
４０  ホトマスク作成装置
４１  電子ビームホトマスク描画装置
５０  ブロックマスク
５１  ブロック
５２  横長ブロック領域
５３  縦長ブロック
１０１  ビーム
１０２  スリット
１０３  デフレクター
１０４  ブロックマスク
１０５  ウエーハ
１０６  ブロック
【図１】
2005076320.tif 000002
【図２】
2005076320.tif 000003
【図３】
2005076320.tif 000004
【図４】
2005076320.tif 000005
【図５】
2005076320.tif 000006
【図６】
2005076320.tif 000007
【図７】
2005076320.tif 000008
【図８】
2005076320.tif 000009
【図９】
2005076320.tif 000010
【図１０】
2005076320.tif 000011
【図１１】
2005076320.tif 000012
【図１２】
2005076320.tif 000013
【図１３】
2005076320.tif 000014
【図１４】
2005076320.tif 000015
【国際調査報告】
2005076320.tif 000016
2005076320.tif 000017
2005076320.tif 000018
2005076320.tif 000019
2005076320.tif 000020
2005076320.tif 000021